(57)【特許請求の範囲】
【請求項１】
出発点（１２、１４）と到着点（２０、２２）との間でレールネットワーク（１０）上を走行する鉄道車両のルートを管理するための管理システムであって、前記管理システムは、ネットワーク上における車両の位置を検知するための検知手段（３４）と、中央処理ユニット（３８）とを有し、中央処理ユニットは、鉄道車両が以前走行する予定であった初期ルートからルートが変わるルート変更ノードとルートが初期ルートに合流する合流ノードとの間で、鉄道車両のルートのルート変更をする手段を備え、ルート変更する手段は、ルート変更ノードと合流ノードとの間で可能な全てのルートから成る一組のルートを決定するための手段と、初期ルートと共通の進路ポイントを最も多く有するルートに対応するルート変更を行なうように、前記一組のルートを初期ルートと比較する手段とを有していることを特徴とする、管理システム。
【請求項２】
中央処理ユニット（３８）は、ルート変更を行なう手段によって変更されたルートに沿う走行時間を計算する計算手段を有していることを特徴とする、請求項１に記載の管理システム。
【請求項３】
計算手段は、変更されたルートの各区間に沿う走行時間を計算する手段を備えていることを特徴とする、請求項２に記載の管理システム。
【請求項４】
中央処理ユニットは、鉄道車両が到着点で停止している時間を変更する手段を有していることを特徴とする、請求項２または３に記載の管理システム。
【請求項５】
中央処理ユニット（３８）は、鉄道車両がルートに沿って走行している間に鉄道車両のルートもしくは到着点を変更する手段を有していることを特徴とする、請求項１から４のいずれか１項に記載の管理システム。
【請求項６】
鉄道車両が出発プラットフォームの変更を強いられている場合、ルート変更ノードが鉄道車両の出発点（１２、１４）によって構成されることを特徴とする、請求項１から５のいずれか１項に記載の管理システム。
【請求項７】
鉄道車両が到着プラットフォームの変更を強いられている場合、合流ノードが到着点（２０、２２）の下流側に位置する仮想点であり、変更されたルート上にある到着プラットフォームで鉄道車両が停止されることを特徴とする、請求項１から５のいずれか１項に記載の管理システム。
【発明の詳細な説明】
【０００１】
【発明の属する技術分野】
本発明は、出発点と到着点との間でレールネットワーク上を走行する鉄道車両のルートを管理するためのシステムに関する。
【０００２】
【従来の技術】
従来と同様に、レールネットワークには、一般に、ネットワーク上における車両の位置を検知するための検知手段が設けられている。この検知手段は、中央処理ユニットに接続され、中央処理ユニットでは、出発点と到着点との間、特にルート変更ノードとルートが最初のルートに再び合流する合流ノードとの間で、鉄道車両によって辿られるルートの変更を指示することを可能にするアルゴリズムがロードされる。
【０００３】
適当なマシンインタフェースによって、中央処理ユニットは、最初に計画されたルートの変更を要求し得る外部事象に応じて、車両が走行しなければならないネットワークのポイントのリストのオペレータによる連続的な入力を可能にする。
【０００４】
例えば、ルートの変更は、出発プラットフォームまたは到着プラットフォームが利用できないという事実によって、あるいは、線路上の障害物の存在によって必要とされ得る。
【０００５】
ルートを変更するために、オペレータは、ルート変更ノードと初期ルート合流ノードとの間の全ての経路ポイントを手動で調整し、その後必要に応じて、次の停止場所との接続を与える。
【０００６】
このような技術は、比較的有効であり信頼性があるが、特に動作が長く、現在のところ手動で行なわなければならないという欠点がある。
【０００７】
【課題が解決しようとする課題】
本発明の目的は、このような欠点を緩和することである。
【０００８】
【課題を解決するための手段】
したがって、本発明は、出発点と到着点との間でレールネットワーク上を走行する鉄道車両のルートを管理するための管理システムであって、ネットワークは、ネットワーク上における車両の位置を検知するための検知手段と、中央処理ユニットとを有し、中央処理ユニットは、ルート変更ノードと変更されたルートが最初のルートに再び合流する合流ノードとの間で、鉄道車両のルートを変更する手段を備え、ルートを変更する手段は、ルート変更ノードと合流ノードとの間で可能な全てのルートから成る一組のルートを決定するための手段と、最初に計画されたルートに最も近いルートに沿ってルート変更を行なうように、前記一組のルートを最初のルートと比較する手段とを有していることを特徴とする管理システムを提供する。
【０００９】
本発明の管理システムは、単独で或は技術的に実現可能な全ての組み合わせで、以下の１つまたは複数の特徴を有していても良い。
【００１０】
中央処理ユニットは、ルート変更を行なう手段によって変更されたルートに沿う走行時間を計算する計算手段を有している。
【００１１】
計算手段は、変更されたルートの各区間に沿う走行時間を計算する手段を備えている。
【００１２】
中央処理ユニットは、鉄道車両が到着点で停止している時間を変更する手段を有している。
【００１３】
中央処理ユニットは、鉄道車両がルートに沿って走行している間に鉄道車両のルートもしくは到着点を変更する手段を有している。
【００１４】
鉄道車両が出発プラットフォームの変更を強いられている場合、ルート変更ノードが鉄道車両の出発点によって構成される。
【００１５】
鉄道車両が到着プラットフォームの変更を強いられている場合、合流ノードが、到着点の下流側に位置する仮想点であり、変更されたルート上にある到着プラットフォームで鉄道車両が停止される。
【００１６】
他の特徴および利点は、添付図面を参照しながら単なる一例として与えられた以下の説明を読めば明らかである。
【００１７】
【発明の実施の形態】
図１は、列車が出発点と到着点との間で走行するルートをリアルタイムで計算することができる、ルート管理システムを備えたレールネットワークの一部を示す図である。
【００１８】
図１に示されるレールネットワークの一部１０は、出発点１２、１４と到着点２０、２２との間で延びている。各出発点１２、１４は、１６および１８等の一組の出発プラットフォームによって構成されている。また、各到着点２０、２２は、２４および２６等の到着プラットフォームによって構成されている。
【００１９】
図１に示される例において、ネットワークの一部１０は、２つのレールトラック２８、３０から構成されている。従来と同様に、トラックは、複数の区間に再分割されているとともに、鉄道車両をトラック２８、３０間で切り換えるための３２等の切換装置を備えている。
【００２０】
また、レールネットワークには、鉄道車両が走行するトラック上における鉄道車両の位置をリアルタイムで検知するために、各区間に均等に配分された３４等の車両検知装置が設けられている。
【００２１】
レールネットワーク１０の装置の全て、すなわち、切換装置３２および検知装置３４は、データを取得して切換装置を制御するインタフェース３６に接続されている。インタフェースは、検知装置３４からデータを取得するとともに、１２等の出発点と２０等の到着点との間での所定の初期ルート（メモリに記憶される）に応じて切換装置３２を制御する。
【００２２】
本発明において、ユニット３６は、インタフェース３６の動作を制御する中央処理ユニット（ＣＰＵ）３８に接続されている。特に、中央処理ユニット３８は、中間コマンドを送ることによって、また、切換装置３２および検知装置３４からデータを取得することによって、制御ユニットを有するインタフェース３６を管理して、変更ルートの形成を行ない、列車が行き過ぎた時にはその形成を連続的に解除する。ルートを任意に変更するために、中央処理ユニット３８は、切換装置３２を制御するための新たなコマンドを、インタフェース３６に送る必要がある。
【００２３】
中央処理ユニット３８は、ルート変更を行なうために必要な全てのプログラムがロードされる中央コンピュータによって構成されている。
【００２４】
中央処理ユニットは、オペレータがルート変更コマンドを入力することができるマンマシンインタフェース４０に接続されている。また、中央処理ユニットは、レールネットワーク１０の出発点１２、１４と到着点２０、２２との間において可能な全てのルートを含むデータベース（図示せず）へのアクセスを有している。
【００２５】
特に、中央処理ユニット３８は、ルートを変更するルート変更ノードとルートが初期ルートに再び合流する合流ノードとの間で可能な全てのルートを、データベースから取り出すことを可能にするソフトウエア手段を有しており、これによって、最初に計画されたルートに最も近いルートだけを維持するために、データベースから取り出した全てのルートを初期ルートと比較して、結果として最も近いルートに沿ってルート変更を行なう。最も近いルートは、最初に計画されたルートと共通の進路ポイント（鉄道車両がそれを介して走行するポイント）を最も多く有する変更ルートとなるように選択される。
【００２６】
また、中央処理ユニット３８は、結果として変更されたルートに沿う走行時間を計算して、外挿法により鉄道車両が到着点に到着する瞬間を決定するためのソフトウエア手段と、この情報を使用して鉄道車両が到着点に停止している時間を変更して、鉄道サービスの時刻表の混乱を回避する手段とを組み込んでいる。
【００２７】
本発明の特徴によれば、走行時間計算手段は、区間毎にルートの走行時間を計算して、鉄道車両が各区間を通過する瞬間を予測する。
【００２８】
ルートの変更は、任意の走行ポイントで行なうことができ、更に一般的には、出発点または到着点で行なうことができる。そのような変更は、出発プラットフォームおよび／または到着プラットフォームの変更にそれぞれ対応している。また、到着点の変更は、鉄道車両がそのルートに沿って既に走行している間に行なうことができる。
【００２９】
前述したように、ルート変更ノードが、それ自体、出発点１２によって構成され、一方、図１に参照符号４２で示される初期ルート合流ノードが、出発点１２の下流側に位置しているレールネットワークのポイントによって構成されていることを前提とする。
【００３０】
図２および図３を参照しながら、前述したルート管理システムの主要動作段階を説明する。
【００３１】
第１の段階４４は、最初に計画されたルートを変更しなければならないことをオペレータが決定する段階に対応しており、この第１の段階４４中に、図３に破線で示される最初に計画されたルートが検索される。
【００３２】
次の段階４６中に、オペレータは、マンマシンインタフェース４０によって、新たな出発プラットフォーム１６に関する情報を入力する。
【００３３】
次の段階４８中に、この情報が中央処理ユニット３８によって検索される。中央処理ユニットは、変更されたルートを最初に計画されたルートと比較するとともに、出発プラットフォーム１６と変更ルートが初期のルートに再び合流される合流ノード４２との間で可能な全てのルートをデータベースから取り出す。
【００３４】
次のステップ５０において、中央処理ユニット３８は、結果として生じた全てのルートを初期ルートと比較するとともに、最初に計画されたルートに最も近いルートだけを維持する。最も近いルートは、最初に計画されたルートと共通の進路ポイント（鉄道車両がそれを介して走行するポイント）を最も多く有する変更ルートとなるように選択される。
【００３５】
その後、中央処理ユニットは、制御ユニット３６がレールスイッチギヤを制御して、結果としてプログラムされたルートに沿って鉄道車両を走行させる（ステップ５２）ように、制御ユニット３６をプログラムする。
【００３６】
その後、中央処理ユニットは、外挿法を使用して車両の経路を決定するとともに、切換装置が適当な瞬間に作動して、鉄道車両がプログラムされたルートに沿って切り換えられるように、制御ユニット３６を制御する。
【００３７】
前記ステップ５２中に、中央処理ユニットは、レールスイッチギヤを制御するために、区間毎に走行時間を計算する。
【００３８】
最後に、このステップにおいて、中央処理ユニット２８は、計算された走行時間情報に基づいて、鉄道車両が到着点で停止している時間を、ルート変更に伴う遅れに応じて変更し、鉄道サービスの時刻表が混乱しないようにする。
【００３９】
前述した説明は、鉄道車両が出発プラットフォームの変更を強いられている場合についてのものである。しかしながら、図４に示されるように、到着プラットフォームが利用できないために、ルートを変更しなければならない場合、鉄道車両の到着点は、変更されたルート上にある到着プラットフォーム２４によって構成される。その結果、ルート変更ノードは、レールトラックに沿う鉄道車両の走行方向に対して、到着点の上流側に位置するレールネットワークのポイント４３によって構成される。このような場合、鉄道車両によって走行される変更ルートは、初期ルート合流ノードを有さず、合流ノードは、到着点の下流側に位置された仮想点となる。
【００４０】
ここで説明したシステムは、鉄道車両が既にルートに沿って走行している間に、鉄道車両のルートを変更する場合に適しているため、特に有用である。この設備によれば、特に列車を受けるために最初に計画されたプラットフォームが利用できない時に、ネットワーク上で生じ得る任意の不測の事態に容易且つ迅速に対処することができる。
【図面の簡単な説明】
【図１】本発明の管理システムを備えたレールネットワークの一部の概略図である。
【図２】図１の管理システムの動作の様々な段階を示すフローチャートである。
【図３】出発プラットフォームの変更を示す概略図である。
【図４】到着プラットフォームの変更を示す概略図である。
【符号の説明】
１０  レールネットワーク
１２、１４  出発点
１６、１８  出発プラットフォーム
２０、２２  到着点
２４、２６  到着プラットフォーム
３２  切換装置
３４  検知手段
３６  インタフェース
３８  中央処理ユニット
４０  マンマシンインタフェース
４２  合流ノード
４３  ポイント
【図１】
0004294251.tif 000002
【図２】
0004294251.tif 000003
【図３】
0004294251.tif 000004
【図４】
0004294251.tif 000005